(57)【要約】【課題】バッテリを衝撃から保護することができるとともに、バッテリの放熱性を向上させることが可能な技術を提供する。【解決手段】本明細書はチェーンソーを開示する。チェーンソーは、ガイドバーの周りでソーチェーンを回転させるモータと、モータを収容する本体ハウジングと、本体ハウジングに着脱可能に取り付けられ、モータに電力を供給するバッテリと、バッテリを衝撃から保護するガードフレームと、を備える。ガードフレームは、本体ハウジングから延伸しており、バッテリが本体ハウジングに取り付けられている状態において、バッテリの露出している２個の側面によって形成される角部に沿うように設けられている。バッテリの本体ハウジングへの着脱の際に、バッテリとガードフレームが干渉しない。【選択図】図１
2020001287.tif 000002
【特許請求の範囲】
【請求項１】
ガイドバーの周りでソーチェーンを回転させるモータと、
前記モータを収容する本体ハウジングと、
前記本体ハウジングに着脱可能に取り付けられ、前記モータに電力を供給するバッテリと、
前記バッテリを衝撃から保護するガードフレームと、を備え、
前記ガードフレームは、前記本体ハウジングから延伸しており、前記バッテリが前記本体ハウジングに取り付けられている状態において、前記バッテリの露出している２個の側面によって形成される角部に沿うように設けられており、
前記バッテリの前記本体ハウジングへの着脱の際に、前記バッテリと前記ガードフレームが干渉しない、チェーンソー。
【請求項２】
前記ガードフレームが前記本体ハウジングに対して締結具を介して固定されており、
前記本体ハウジングには、前記ガードフレームが嵌合するガードフレーム受け溝が形成されている、請求項１に記載のチェーンソー。
【請求項３】
前記ガードフレームの前記本体ハウジングに対する取り付け位置が変更可能である、請求項１または２に記載にチェーンソー。
【請求項４】
前記バッテリは、前記本体ハウジングの後部に着脱可能に取り付けられており、
前記ガードフレームは、前記本体ハウジングの後端よりも後方に位置している、請求項１から３のいずれか一項に記載のチェーンソー。
【発明の詳細な説明】
【技術分野】
【０００１】
本明細書で開示する技術は、チェーンソーに関する。
【背景技術】
【０００２】
特許文献１には、チェーンソーが開示されている。そのチェーンソーは、ガイドバーの周りでソーチェーンを回転させるモータと、モータを収容する本体ハウジングと、本体ハウジングに着脱可能に取り付けられ、モータに電力を供給するバッテリと、を備えている。バッテリは、本体ハウジングに取り付けられている状態において、本体ハウジングに覆われている。特許文献１のチェーンソーでは、本体ハウジングによってモータを衝撃から保護している。
【先行技術文献】
【特許文献】
【０００３】
【特許文献１】特開２０１３−５３５４３号公報
【発明の概要】
【発明が解決しようとする課題】
【０００４】
特許文献１のチェーンソーでは、バッテリが本体ハウジングによって覆われている。この場合、チェーンソーを駆動させると、バッテリの温度が上昇しやすくなる。バッテリの温度が過度に上昇すると、バッテリの品質に悪影響を及ぼす。本明細書では、バッテリを衝撃から保護することができるとともに、バッテリの放熱性を向上させることが可能な技術を提供する。
【課題を解決するための手段】
【０００５】
本明細書はチェーンソーを開示する。チェーンソーは、ガイドバーの周りでソーチェーンを回転させるモータと、前記モータを収容する本体ハウジングと、前記本体ハウジングに着脱可能に取り付けられ、前記モータに電力を供給するバッテリと、前記バッテリを衝撃から保護するガードフレームと、を備え、前記ガードフレームは、前記本体ハウジングから延伸しており、前記バッテリが前記本体ハウジングに取り付けられている状態において、前記バッテリの露出している２個の側面によって形成される角部に沿うように設けられており、前記バッテリの前記本体ハウジングへの着脱の際に、前記バッテリと前記ガードフレームが干渉しなくてもよい。
【０００６】
上記の構成によれば、バッテリを本体ハウジングで覆うことなく、ガードフレームによってバッテリを衝撃から保護することができる。ガードフレームは、露出している２個の側面によって形成される角部に沿って設けられており、バッテリを覆っていない。従って、バッテリが本体ハウジングによって覆われている場合と比較して、バッテリの放熱性が高くなる。従って、チェーンソーを駆動させたときに、バッテリの温度が過度に上昇することを抑制することができる。
【０００７】
また、バッテリの本体ハウジングへの着脱の際に、ガードフレームがバッテリと干渉しない。従って、作業者は、バッテリの本体ハウジングへの着脱を容易に実行することができる。
【図面の簡単な説明】
【０００８】
【図１】実施例１のチェーンソー２の斜視図である。
【図２】実施例１のチェーンソー２を左側から見た模式図である。
【図３】実施例１のチェーンソー２を後側から見た模式図である。
【図４】図１の破線部IVの拡大図であり、本体ハウジング２２からガードフレーム４０が取り外されている状態の模式図である。
【図５】実施例１のガードフレーム４０の斜視図である。
【図６】実施例２のチェーンソー１０２の後部の斜視図である。
【図７】変形例１において、ガードフレーム２４０を取り外した状態のチェーンソー２０２の後部を左側から見た模式図である。
【図８】変形例１において、ガードフレーム２４０が取り付けられている状態のチェーンソー２０２の後部を左側から見た模式図である。
【図９】変形例２のチェーンソー３０２の後部を左側から見た模式図である。
【発明を実施するための形態】
【０００９】
１つまたはそれ以上の実施形態において、ガードフレームが本体ハウジングに対して締結具を介して固定されており、本体ハウジングには、ガードフレームが嵌合するガードフレーム受け溝が形成されていてもよい。
【００１０】
上記の構成によれば、作業者がチェーンソーを落とした場合等にガードフレームに加わる衝撃の大部分が、ガードフレーム受け溝を介して本体ハウジングに伝達され、締結具を介して本体ハウジングに伝達される衝撃が緩和される。これによって、ガードフレームや本体ハウジングの締結具近傍の箇所が損傷することを防止することができる。
【００１１】
１つまたはそれ以上の実施形態において、ガードフレームの本体ハウジングに対する取り付け位置が変更可能であってもよい。
【００１２】
チェーンソーでは、様々な容量のバッテリが利用され得る。一般的に、高容量のバッテリのサイズは、低容量のバッテリのサイズよりも大きい。従って、例えば、低容量のバッテリのサイズに合わせて形成されている本体ハウジングに、高容量のバッテリを取り付けると、高容量のバッテリの一部が、本体ハウジングの外側に位置する。上記の構成によれば、ガードフレームの本体ハウジングに対する取り付け位置を変更することで、低容量及び高容量の両方のバッテリをガードフレームによって保護することができる。従って、チェーンソーに利用されるバッテリの容量（サイズ）に関わらず、当該バッテリをガードフレームによって保護することができる。
【００１３】
１つまたはそれ以上の実施形態において、バッテリは、本体ハウジングの後部に着脱可能に取り付けられており、ガードフレームは、本体ハウジングの後端よりも後方に位置していてもよい。
【００１４】
上記の構成によれば、作業者がチェーンソーを落とした場合等において、チェーンソーは後方から落下する。従って、ガードフレームによってバッテリを後方からの衝撃から保護することができる。
【００１５】
（実施例１）
図１に示すように、本実施例のチェーンソー２は、本体４と、ガイドバー６と、ソーチェーン８を備えている。ガイドバー６は、本体４から前方に向けて突出するように本体４に取り付けられた、細長い板状の部材である。ソーチェーン８は、相互に連結された複数のカッタを備えており、ガイドバー６の周縁に沿って取り付けられている。本体４には、２個のバッテリＢ１、Ｂ２が取り付けられている。チェーンソー２は、バッテリＢ１、Ｂ２から供給される電力によって、ソーチェーン８をガイドバー６の周縁に沿って回転駆動することで、木材等の被切断物を切断する。なお、以下の説明では、本体４の長手方向を、前後方向といい、本体４に対してバッテリＢ１、Ｂ２を着脱させる際にバッテリＢ１、Ｂ２をスライドさせる方向を、左右方向といい、前後方向および左右方向に直交する方向を、上下方向という。
【００１６】
図１、図２に示すように、本体４は、左側ハウジング１０と、右側ハウジング１２と、サイドハンドル１４と、ハンドガード１６を備えている。左側ハウジング１０及び右側ハウジング１２は、例えば、硬質樹脂材料からなる。左側ハウジング１０と右側ハウジング１２によって、本体ハウジング２２と、トップハンドル２６が形成されている。左側ハウジング１０は、本体ハウジング２２とトップハンドル２６の左半面の外形形状を形成しており、右側ハウジング１２は、本体ハウジング２２とトップハンドル２６の右半面の外形形状を形成している。
【００１７】
本体ハウジング２２は、本体４の前後方向に長手方向を有する略直方体形状の前側本体ハウジング２２ａと、前側本体ハウジング２２ａの後方上部から後方に向けて伸びる後側本体ハウジング２２ｂを備えている。後側本体ハウジング２２ｂの下面には、バッテリＢ１、Ｂ２を着脱可能な２個のバッテリ取り付け部２２ｃが形成されている。２個のバッテリ取り付け部２２ｃは、前後方向に並べて配置されている。バッテリＢ１、Ｂ２をバッテリ取り付け部２２ｃに対して右方向にスライドさせることでバッテリＢ１、Ｂ２をバッテリ取り付け部２２ｃに取り付けることができ、バッテリ取り付け部２２ｃに取り付けられているバッテリＢ１、Ｂ２を左方向にスライドさせることで、バッテリＢ１、Ｂ２をバッテリ取り付け部２２ｃから取り外すことができる。
【００１８】
図４に示すように、後側本体ハウジング２２ｂの下方後方左面には、後述するガードフレーム４０を後側本体ハウジング２２ｂに取り付けるためのガードフレーム受容部２４が形成されている。ガードフレーム受容部２４は、ガードフレーム取り付け部２４ａと、ガードフレーム受け溝２４ｂを備えている。ガードフレーム取り付け部２４ａは、前後方向に直交する面で見た時に長方形の断面を有しており、ガードフレーム受け溝２４ｂは、前後方向に直交する面で見た時に半円形状の断面を有している。ガードフレーム取り付け部２４ａは、ガードフレーム受け溝２４ｂよりも左方に突出している。ガードフレーム取り付け部２４ａには、ガードフレーム４０を後側本体ハウジング２２ｂに取り付けるための取り付け穴２４ｃが形成されている。なお、後側本体ハウジング２２ｂの下方後方右面にも、ガードフレーム４０を後側本体ハウジング２２ｂに取り付けるためのガードフレーム受容部２４が形成されている。
【００１９】
図１に示すように、トップハンドル２６は、前側本体ハウジング２２ａの前方上面から上方に向けて突出する略角柱形状の支持部２６ａと、支持部２６ａの後方上部から後方に向けて伸びており、後側本体ハウジング２２ｂの上面に接続する、断面が略角柱形状の把持部２６ｂを備えている。支持部２６ａの上面には、凹部２６ｃが形成されている。凹部２６ｃの内部には、使用者がチェーンソー２の電源のオン・オフを切替操作する電源スイッチ２８と、チェーンソー２の電源のオン・オフの状態を表示する電源ランプ３０が配置されている。把持部２６ｂの前方下面には、使用者がソーチェーン８の回転駆動を操作するためのトリガスイッチ３２が配置されている。把持部２６ｂの上部には、使用者によるトリガスイッチ３２の操作を許可する状態と禁止する状態の間で切り替わるトリガロックレバー３４が配置されている。
【００２０】
サイドハンドル１４は、トップハンドル２６の支持部２６ａの上方後方左面と、前側本体ハウジング２２ａの下方前方左面の間を接続する略Ｕ字形状の外形形状を有している。サイドハンドル１４の断面は、略円形状である。使用者は、チェーンソー２を使用する際に、右手でトップハンドル２６を把持し、左手でサイドハンドル１４を把持して、チェーンソー２を保持する。この状態から、使用者がトップハンドル２６のトリガロックレバー３４を右手の掌で押し下げると、使用者によるトリガスイッチ３２の操作が許可された状態となり、使用者がトリガスイッチ３２を右手の人差し指で押し上げることで、ソーチェーン８が回転駆動される。
【００２１】
図１〜図３に示すように、後側本体ハウジング２２ｂのガードフレーム受容部２４には、ガードフレーム４０が取り付けられている。図５に示すように、ガードフレーム４０は、２個の取り付け部４０ａと、２個の屈曲部４０ｂと、２個の後方延伸部４０ｃと、下方延伸部４０ｄと、接続部４０ｅを備えている。ガードフレーム４０は、金属材料からなる。左側の各部４０ａ〜４０ｄと右側の各部４０ａ〜４０ｄは左右対称に形成されている。取り付け部４０ａは、平板形状を有する。取り付け部４０ａには、ガードフレーム４０を後側本体ハウジング２２ｂに取り付けるための取り付け穴４０ｆが形成されている。屈曲部４０ｂは、左右方向に屈曲しており、取り付け部４０ａと後方延伸部４０ｃとを接続する。後方延伸部４０ｃ、下方延伸部４０ｄ、及び、接続部４０ｅの断面は、略円形状である。各部４０ｃ〜４０ｅの直径は、後側本体ハウジング２２ｂのガードフレーム受容部２４のガードフレーム受け溝２４ｂの断面の直径と略一致する。後方延伸部４０ｃは、屈曲部４０ｂから後方に延伸している。下方延伸部４０ｄは、後方延伸部４０ｃから下方に延伸している。なお、左側の下方延伸部４０ｄは、後方延伸部４０ｃから、左側に傾斜しながら下方に延伸し、右側の下方延伸部４０ｄは、後方延伸部４０ｃから、右側に傾斜しながら下方に延伸している。接続部４０ｅは、左右の下方延伸部４０ｄを接続する。ガードフレーム４０の取り付け部４０ａの取り付け穴４０ｆと、後側本体ハウジング２２ｂの取り付け穴２４ｃ（図４参照）と、を位置合わせし、ネジ部材Ｓ（締結具の一例）を取り付け穴４０ｆ及び取り付け穴２４ｃに螺合させる。これにより、ガードフレーム４０が後側本体ハウジング２２ｂに取り付けられる（図１〜図３参照）。
【００２２】
図１に示すように、ガードフレーム４０の左側の下方延伸部４０ｄは、バッテリＢ２の後面及び左面によって形成される角部に沿って配置されており、右側の下方延伸部４０ｄは、バッテリＢ２の後面及び右面によって形成される角部に沿って配置されている。また、接続部４０ｅは、バッテリＢ２の後面及び底面によって形成される角部に沿って配置されている。図２に示すように、ガードフレーム４０の下端の上下方向の位置は、バッテリＢ１、Ｂ２の下端よりも距離Ｄ１だけ下方に位置する。また、図３に示すように、バッテリＢ２の下端近傍において、ガードフレーム４０の左端は、バッテリＢ２の左端（図３の２点鎖線）よりも左側に位置し、ガードフレーム４０の右端は、バッテリＢ２の右端（図３の２点鎖線）よりも右側に位置する。また、図２に示すように、ガードフレーム４０は、本体ハウジング２２に対してバッテリＢ１、Ｂ２を着脱する方向、即ち、本体ハウジング２０の左方には形成されていない。
【００２３】
図２に示すように、前側本体ハウジング２２ａの内部であって、前側本体ハウジング２２ａの右側には、モータ３６が配置されている。本実施例では、モータ３６は、アウタロータ型のＤＣブラシレスモータである。モータ３６には、出力シャフト３８が連結されている。出力シャフト３８は、チェーンソー２の左右方向に沿って配置されている。前側本体ハウジング２２ａの右側において、出力シャフト３８には、スプロケット（図示省略）が固定されている。スプロケットには、ガイドバー６からソーチェーン８（図１参照）が架け渡される。モータ３６が駆動すると、出力シャフト３８とともにスプロケットが回転し、これによってソーチェーン８がスプロケットとガイドバー６の周りを回転する。
【００２４】
以上のように、一実施形態に係るチェーンソー２は、図１に示すように、ガイドバー６の周りでソーチェーン８を回転させるモータ３６と、モータ３６を収容する本体ハウジング２２と、本体ハウジング２２に着脱可能に取り付けられ、モータ３６に電力を供給するバッテリＢ２と、バッテリＢ２を衝撃から保護するガードフレーム４０と、を備える。ガードフレーム４０は、本体ハウジング２２から延伸しており、バッテリＢ２が本体ハウジング２２に取り付けられている状態において、バッテリＢ２の露出している２個の側面（後面と左面、後面と右面、及び、後面と底面）によって形成される角部に沿うように設けられている。バッテリＢ２の本体ハウジング２２への着脱の際に、バッテリＢ２とガードフレーム４０が干渉しない。上記の構成によれば、バッテリＢ２を本体ハウジング２２で覆うことなく、ガードフレーム４０によってバッテリＢ２を衝撃から保護することができる。ガードフレーム４０は、露出している２個の側面によって形成される角部に沿って設けられており、バッテリＢ２を覆っていない。従って、バッテリＢ２が本体ハウジング２２によって覆われている場合と比較して、バッテリＢ２の放熱性が高くなる。従って、チェーンソー２を駆動させたときに、バッテリＢ２の温度が過度に上昇することを抑制することができる。
【００２５】
また、上記の構成によれば、バッテリＢ２の本体ハウジング２２への着脱の際に、ガードフレーム４０がバッテリＢ２と干渉しない。従って、作業者は、バッテリＢ２の本体ハウジング２２への着脱を容易に実行することができる。
【００２６】
バッテリＢ２を本体ハウジング２２で覆うことによって、バッテリＢ２を衝撃から保護する場合、チェーンソー２の重量が比較的に重くなる。また、バッテリＢ２を覆っている部分の本体ハウジング２２内に粉塵が溜まり得る。上記の構成によれば、チェーンソー２を軽量化することができるともに、バッテリＢ２の近傍に粉塵が溜まることを防止することができる。
【００２７】
一実施形態に係るチェーンソー２では、図１に示すように、ガードフレーム４０が本体ハウジング２２に対してネジ部材Ｓを介して固定されており、図４に示すように、本体ハウジング２２には、ガードフレーム４０が嵌合するガードフレーム受け溝２４ｂが形成されている。上記の構成によれば、作業者がチェーンソー２を落とした場合等にガードフレーム４０に加わる衝撃の大部分が、ガードフレーム受け溝２４ｂを介して本体ハウジング２２に伝達され、ネジ部材Ｓを介して本体ハウジング２２に伝達される衝撃が緩和される。これによって、ガードフレーム４０や本体ハウジング２２のネジ部材Ｓ近傍の箇所が損傷することを防止することができる。
【００２８】
一実施形態に係るチェーンソー２では、図２に示すように、バッテリＢ２は、本体ハウジング２２の後部に着脱可能に取り付けられており、ガードフレーム４０は、本体ハウジング２２の後端よりも後方に位置していてもよい。上記の構成によれば、作業者がチェーンソー２を落とした場合等において、チェーンソー２は後方から落下する。従って、ガードフレーム４０によってバッテリＢ２を後方からの衝撃から保護することができる。
【００２９】
（実施例２）
本実施例のチェーンソー１０２は、実施例１のチェーンソー２と同様の構成を備えている。本実施例のチェーンソー１０２は、本体ハウジング２２の後側本体ハウジング１２２ｂ、ガードフレーム１４０が、それぞれ、実施例１の本体ハウジング２２の後側本体ハウジング２２ｂ、ガードフレーム４０と異なる。以下では、図６を参照して、実施例１のチェーンソー２と相違する点のみについて詳細に説明する。
【００３０】
図６に示すように、後側本体ハウジング１２２ｂの後面に２個のバッテリ取り付け部１２２ｃが形成されている。２個のバッテリ取り付け部１２２ｃは、上下方向に並べて配置されている。バッテリＢ１、Ｂ２をバッテリ取り付け部１２２ｃに対して右方向にスライドさせることでバッテリＢ１、Ｂ２をバッテリ取り付け部１２２ｃに取り付けることができ、バッテリ取り付け部１２２ｃに取り付けられているバッテリＢ１、Ｂ２を左方向にスライドさせることで、バッテリＢ１、Ｂ２をバッテリ取り付け部１２２ｃから取り外すことができる。
【００３１】
後側本体ハウジング１２２ｂには、ガードフレーム１４０が取り付けられている。ガードフレーム１４０は、２個の取り付け部１４０ａと、２個の屈曲部１４０ｂと、２個の後方延伸部１４０ｃと、２個の左方延伸部１４０ｄと、接続部１４０ｅを備えている。上側の各部１４０ａ〜１４０ｄと下側の各部１４０ａ〜１４０ｄは上下対称に形成されている。取り付け部１４０ａは、平板形状を有する。取り付け部１４０ａには、ガードフレーム４０を後側本体ハウジング１２２ｂに取り付けるための取り付け穴（図示省略）が形成されている。屈曲部１４０ｂは、左右方向に屈曲しており、取り付け部１４０ａと後方延伸部１４０ｃとを接続する。後方延伸部１４０ｃ、左方延伸部１４０ｄ、及び、接続部１４０ｅの断面は、略円形状である。後方延伸部１４０ｃは、屈曲部１４０ｂから後方に延伸している。左方延伸部１４０ｄは、後方延伸部１４０ｃから左方に延伸している。接続部１４０ｅは、上下の左方延伸部１４０ｄを接続する。ガードフレーム１４０の取り付け部の取り付け穴（図示省略）と、後側本体ハウジング１２２ｂの取り付け穴（図示省略）と、を位置合わせし、ネジ部材Ｓを螺合させる。これにより、ガードフレーム１４０が後側本体ハウジング１２２ｂに取り付けられる。
【００３２】
ガードフレーム１４０の上側の後方延伸部１４０ｃは、バッテリＢ１の上面及び右面によって形成される角部に沿って配置され、上側の左方延伸部１４０ｄは、バッテリＢ１の上面及び後面によって形成される角部に沿って配置され、下側の後方延伸部１４０ｃは、バッテリＢ２の下面及び右面によって形成される角部に沿って配置され、下側の左方延伸部１４０ｄは、バッテリＢ２の下面及び後面によって形成される角部に沿って配置される。また、接続部１４０ｅは、バッテリＢ１の後面及び左面によって形成される角部及びバッテリＢ２の後面及び左面によって形成される角部に沿って配置されている。
【００３３】
ガードフレーム１４０の後端は、バッテリＢ１、Ｂ２の後端よりも後方に位置する。ガードフレーム１４０の上端は、バッテリＢ１の上端よりも上方に位置し、ガードフレーム１４０の下端は、バッテリＢ２の下端よりも下方に位置する。また、ガードフレーム１４０の左端は、バッテリＢ１、Ｂ２の左端よりも左方に位置する。このような構成においても、実施例１と同様の効果を奏することができる。
【００３４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００３５】
（変形例１）一実施形態に係るチェーンソー２では、ガードフレーム２４０の本体ハウジング２２に対する取り付け位置が変更可能であってもよい。本実施形態では、図７に示すように、本体ハウジング２２の後側本体ハウジング２２２ｂには、ガードフレーム受容部２２４が形成されている。ガードフレーム受容部２２４は、ガードフレーム受け溝２２４ｂを備えている。即ち、ガードフレーム２４０は、実施例１の取り付け部４０ａを有さない。ガードフレーム受け溝２２４ｂは、後側本体ハウジング２２２ｂの前部から後部に亘って形成されている。ガードフレーム受け溝２２４ｂには、複数個の取り付け穴２２４ｃ〜２２４ｇが形成されている。ガードフレーム受け溝２２４ｂは、前後方向に直交する面で見た時に半円の断面形状を有する。複数個の取り付け穴２２４ｃ〜２２４ｇは、前後方向において、等間隔に配置されている。
【００３６】
図８では、後側本体ハウジング２２２ｂの下面の２個のバッテリ取り付け部２２２ｃに、バッテリＢ１、Ｂ３が取り付けられている。バッテリＢ３は、バッテリＢ１、Ｂ２よりも高容量でサイズが大きいバッテリである。
【００３７】
図８に示すように、本実施形態のガードフレーム２４０は、２個の後方延伸部２４０ｃと、２個の下方延伸部２４０ｄと、接続部２４０ｅを備えている。ガードフレーム２４０は、取り付け部４０ａ及び屈曲部４０ｂを有さない点が、実施例１のガードフレーム４０と異なる。後方延伸部２４０ｃには、ガードフレーム２４０を後側本体ハウジング２２２ｂに取り付けるための取り付け穴（図示省略）が設けられている。後方延伸部２４０ｃの前後方向における長さは、ガードフレーム受け溝２２４ｂの前後方向における長さよりも長い。下方延伸部２４０ｄ及び接続部２４０ｅは、ガードフレーム４０の下方延伸部４０ｄ及び接続部４０ｅと同様の構成を備えている。後方延伸部２４０ｃの取り付け穴と、複数個の取り付け穴２２４ｃ〜２２４ｇのうちの１個の取り付け穴と、を位置合わせして、ロックピン２５０を挿入することで、ガードフレーム２４０が後側本体ハウジング２２２ｂに取り付けられる。最後方の取り付け穴２２４ｇを利用してガードフレーム２４０を後側本体ハウジング２２２ｂに取り付けると、ガードフレーム２４０は、後側本体ハウジング２２２ｂの後端とガードフレーム２４０の後端との間の距離が距離Ｄ３となる最後方位置に固定される。また、最前方の取り付け穴２２４ｃを利用してガードフレーム２４０を後側本体ハウジング２２２ｂに取り付けると（図８の２点鎖線）、ガードフレーム２４０は、後側本体ハウジング２２２ｂの後端とガードフレーム２４０の後端との間の距離が距離Ｄ２となる最前方位置に固定される。
【００３８】
チェーンソー２では、様々な容量のバッテリが利用され得る。一般的に、高容量のバッテリのサイズは、低容量のバッテリのサイズよりも大きい。従って、図８に示すように、低容量のバッテリＢ１、Ｂ２のサイズに合わせて形成されている本体ハウジング２２に、高容量のバッテリＢ３を取り付けると、高容量のバッテリＢ３の一部が、本体ハウジング２２の外側に位置する。上記の構成によれば、ガードフレーム２４０の本体ハウジング２２に対する取り付け位置を変更することで、低容量及び高容量の両方のバッテリをガードフレーム２４０によって保護することができる。従って、チェーンソー２に利用されるバッテリの容量（サイズ）に関わらず、当該バッテリをガードフレーム２４０によって保護することができる。
【００３９】
（変形例２）一実施形態に係るチェーンソー２では、ガードフレーム３４０の本体ハウジング２２に対する取り付け位置が変更可能であってもよい。本実施形態では、図９に示すように、後側本体ハウジング３２２ｂの後方左面には、円筒形状を有する外側管３５０が形成されている。外側管３５０の後部には、ガードフレーム３４０を後側本体ハウジング３２２ｂに取り付けるための取り付け穴（図示省略）が形成されている。
【００４０】
本実施形態のガードフレーム３４０は、２個の後方延伸部３４０ｃと、２個の下方延伸部３４０ｄと、接続部３４０ｅを備えている。ガードフレーム３４０は、取り付け部４０ａ及び屈曲部４０ｂを有さない点が、実施例１のガードフレーム４０と異なる。後方延伸部３４０ｃの前後方向における長さは、ガードフレーム受け溝３２４ｂの前後方向における長さよりも長い。後方延伸部３４０ｃには、複数個の取り付け穴３４０ｆが設けられている。後方延伸部３４０ｃは、外側管３５０内を前後方向に移動することができる。下方延伸部３４０ｄ及び接続部３４０ｅは、実施例１のガードフレーム４０の下方延伸部４０ｄ及び接続部４０ｅと同様の構成を備えている。後方延伸部３４０ｃの最前方の取り付け穴３４０ｆを利用してガードフレーム３４０を後側本体ハウジング３２２ｂに取り付けると（図９の状態）、ガードフレーム３４０は、後側本体ハウジング３２２ｂの後端とガードフレーム３４０の後端との間の距離Ｄ３となる最後方位置に固定される。また、後方延伸部３４０ｃの最後方の取り付け穴３４０ｆを利用してガードフレーム３４０を後側本体ハウジング３２２ｂに取り付けると（図９の２点鎖線）、ガードフレーム３４０は、後側本体ハウジング３２２ｂの後端とガードフレーム３４０の後端との間の距離が距離Ｄ２となる最前方位置に固定される。本実施形態でも、変形例１と同様の効果を奏することができる。
【００４１】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４２】
１        ：実施
２        ：チェーンソー
４        ：本体
６        ：ガイドバー
８        ：ソーチェーン
１０      ：左側ハウジング
１２      ：右側ハウジング
１４      ：サイドハンドル
１６      ：ハンドガード
２２      ：本体ハウジング
２２ａ    ：前側本体ハウジング
２２ｂ    ：後側本体ハウジング
２２ｃ    ：バッテリ取り付け部
２４      ：ガードフレーム受け溝
２４ａ    ：ガードフレーム取り付け部
２４ｂ    ：後側受け溝
２４ｃ    ：取り付け穴
２６      ：トップハンドル
２６ａ    ：支持部
２６ｂ    ：把持部
２６ｃ    ：凹部
２８      ：電源スイッチ
３０      ：電源ランプ
３２      ：トリガスイッチ
３４      ：トリガロックレバー
３６      ：モータ
３８      ：出力シャフト
４０      ：ガードフレーム
４０ａ    ：取り付け部
４０ｂ    ：屈曲部
４０ｃ    ：後方延伸部
４０ｄ    ：下方延伸部
４０ｅ    ：接続部
４０ｆ    ：取り付け穴
Ｂ１、Ｂ２：バッテリ
Ｓ        ：ネジ部材
【図１】
2020001287.tif 000003
【図２】
2020001287.tif 000004
【図３】
2020001287.tif 000005
【図４】
2020001287.tif 000006
【図５】
2020001287.tif 000007
【図６】
2020001287.tif 000008
【図７】
2020001287.tif 000009
【図８】
2020001287.tif 000010
【図９】
2020001287.tif 000011